【手続補正書】
【提出日】平成19年8月9日(2007.8.9)
【手続補正１】
【補正対象書類名】明細書
【補正対象項目名】発明の名称
【補正方法】変更
【補正の内容】
【発明の名称】車両機能の設定方法、電子制御装置および車両機能の設定システム
【手続補正２】
【補正対象書類名】明細書
【補正対象項目名】特許請求の範囲
【補正方法】変更
【補正の内容】
【特許請求の範囲】  
【請求項１】  各種情報を無線通信で伝達可能な車両の機能に、ディーラからの無線通信で有効または無効の設定が行われる車両のオプション機能を予め含めておき、
ディーラが無線通信を介して該オプション機能の有効または無効の設定を行うことを特徴とする車両機能の設定方法。
【請求項２】  各種情報を無線通信で伝達可能な車両に設けられた電子制御装置において、
ディーラからの無線通信で有効または無効の設定が行われる車両のオプション機能のデータが予め記憶された記憶手段と、
ディーラからの無線通信により前記記憶手段に記憶された該オプション機能のデータを変更するための制御手段とを備えることを特徴とする車両に設けられた電子制御装置。
【請求項３】  各種情報を無線通信で伝達可能な車両に設けられ、車両のオプション機能のデータが予め記憶された記憶手段とディーラが無線通信を介して前記記憶手段に記憶された該オプション機能のデータを変更するための制御手段とを備えた電子制御装置と、
ディーラが、無線通信を介して車両のオプション機能の有効または無効の設定をするためのディーラ設定部とを備えることを特徴とする車両機能の設定システム。
【手続補正３】
【補正対象書類名】明細書
【補正対象項目名】０００１
【補正方法】変更
【補正の内容】
【０００１】
【発明の属する技術分野】
本発明は、自動車などの車両で、備えている機能のうちの少なくとも一部をオプション機能として設定が可能な場合の車両機能の設定方法、電子制御装置および車両機能の設定システムに関する。
【手続補正４】
【補正対象書類名】明細書
【補正対象項目名】０００５
【補正方法】変更
【補正の内容】
【０００５】
本発明の目的は、機能自体の設定を顧客の要望に応じて販売側から容易に行うことができる車両機能の設定方法、電子制御装置および車両機能の設定システムを提供することである。
【手続補正５】
【補正対象書類名】明細書
【補正対象項目名】０００６
【補正方法】変更
【補正の内容】
【０００６】
【課題を解決するための手段】
本発明は、各種情報を無線通信で伝達可能な車両の機能に、ディーラからの無線通信で有効または無効の設定が行われる車両のオプション機能を予め含めておき、
ディーラが無線通信を介して該オプション機能の有効または無効の設定を行うことを特徴とする車両機能の設定方法である。
【手続補正６】
【補正対象書類名】明細書
【補正対象項目名】０００７
【補正方法】変更
【補正の内容】
【０００７】
本発明に従えば、車両は各種情報を無線通信で伝達可能であり、車両が備える機能には、ディーラから無線通信で有効または無効の設定が行われるオプション機能を予め含めておく。オプション機能は設定が行われなければ、有効とはならない。ディーラは顧客の要望に応じてオプション機能の設定を無線通信を介して行うので、車両に直接触れることなく顧客の要望に応じた機能を容易に設定することができる。顧客は、ディーラから機能についての充分な説明などを受けながら、要望する機能については直ちに有効となるように設定してもらうことができる。また、試行的に機能を有効に設定してもらった後、機能を確認し、必要ないと判断すれば機能を無効にするように設定してもらうこともできる。ディーラは、無線通信で機能を設定すればよいので、機能の有効または無効の設定のたび毎に直接車両内でスイッチ操作などを行う必要はなく、容易に車両の機能の設定を行うことができる。
【手続補正７】
【補正対象書類名】明細書
【補正対象項目名】０００８
【補正方法】変更
【補正の内容】
【０００８】
また本発明は、各種情報を無線通信で伝達可能な車両に設けられた電子制御装置において、
ディーラからの無線通信で有効または無効の設定が行われる車両のオプション機能のデータが予め記憶された記憶手段と、
ディーラからの無線通信により前記記憶手段に記憶された該オプション機能のデータを変更するための制御手段とを備えることを特徴とする車両に設けられた電子制御装置である。
【手続補正８】
【補正対象書類名】明細書
【補正対象項目名】０００９
【補正方法】変更
【補正の内容】
【０００９】
本発明に従えば、車両は各種情報を無線通信で伝達可能であり、記憶手段には、ディーラからの無線通信で有効または無効の設定が行われる車両のオプション機能のデータが予め記憶される。このオプション機能は設定が行われなければ、有効とはならない。ディーラは顧客の要望に応じてオプション機能の設定を無線通信を介して行うので、車両に直接触れることなく顧客の要望に応じた機能を容易に設定することができる。顧客は、ディーラから機能についての充分な説明などを受けながら、要望する機能については直ちに有効となるように設定してもらうことができる。また、試行的に機能を有効に設定してもらった後、機能を確認し、必要ないと判断すれば機能を無効にするように設定してもらうこともできる。ディーラは、無線通信で機能を設定すればよいので、機能の有効または無効の設定のたび毎に直接車両内でスイッチ操作などを行う必要はなく、容易に車両の機能の設定を行うことができる。
【手続補正９】
【補正対象書類名】明細書
【補正対象項目名】００１０
【補正方法】変更
【補正の内容】
【００１０】
また本発明は、各種情報を無線通信で伝達可能な車両に設けられ、車両のオプション機能のデータが予め記憶された記憶手段とディーラが無線通信を介して前記記憶手段に記憶された該オプション機能のデータを変更するための制御手段とを備えた電子制御装置と、
ディーラが、無線通信を介して車両のオプション機能の有効または無効の設定をするためのディーラ設定部とを備えることを特徴とする車両機能の設定システムである。
【手続補正１０】
【補正対象書類名】明細書
【補正対象項目名】００１１
【補正方法】変更
【補正の内容】
【００１１】
本発明に従えば、車両は各種情報を無線通信で伝達可能であり、記憶手段には、ディーラからの無線通信で有効または無効の設定が行われる車両のオプション機能のデータが予め記憶される。このオプション機能は設定が行われなければ、有効とはならない。ディーラは、ディーラ設定部によって顧客の要望に応じてオプション機能の設定を無線通信を介して行うので、車両に直接触れることなく顧客の要望に応じた機能を容易に設定することができる。顧客は、ディーラから機能についての充分な説明などを受けながら、要望する機能については直ちに有効となるように設定してもらうことができる。また、試行的に機能を有効に設定してもらった後、機能を確認し、必要ないと判断すれば機能を無効にするように設定してもらうこともできる。ディーラは、ディーラ設定部によって無線通信で機能を設定すればよいので、機能の有効または無効の設定のたび毎に直接車両内でスイッチ操作などを行う必要はなく、容易に車両の機能の設定を行うことができる。
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００３２
【補正方法】変更
【補正の内容】
【００３２】
【発明の効果】
以上のように本発明によれば、車両は各種情報を無線通信で伝達可能であり、車両が備える機能には、ディーラから無線通信で有効または無効の設定が行われるオプション機能を予め含めておく。オプション機能は設定が行われなければ、有効とはならない。ディーラは顧客の要望に応じてオプション機能の設定を無線通信を介して行うので、車両に直接触れることなく顧客の要望に応じた機能を容易に設定することができる。顧客は、ディーラから機能についての充分な説明などを受けながら、要望する機能については直ちに有効となるように設定してもらうことができる。また、試行的に機能を有効に設定してもらった後、機能を確認し、必要ないと判断すれば機能を無効にするように設定してもらうこともできる。ディーラは、無線通信で機能を設定すればよいので、機能の有効または無効の設定のたび毎に直接車両内でスイッチ操作などを行う必要はなく、容易に車両の機能の設定を行うことができる。
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】削除
【補正の内容】